(57)【要約】【課題】簡素な構造により製造コストの低減を図りつつ、重いチューブ容器が外れてしまうことを抑止できるチューブクリップを提供する。【解決手段】チューブ容器Ｔ１の閉止部Ｔ２を挿入可能な軸線方向溝２２が形成された内側の巻込ロール２０と、これを回動可能に保持する凹状の保持壁１１を有する外側の本体１０と、本体１０の回動操作レバー１７と共に本体１０および巻込ロール２０の操作機構２５を構成する突出片部２７とを備え、突出片部２７の突出端側に吊り下げ用のフック３０が一体に装着されている。操作機構２５により操作される本体１０および巻込ロール２０は、閉止部Ｔ２を軸線方向溝２２に挿入可能な開位置と、閉止部Ｔ２を挟圧保持する閉位置とに回動可能であり、本体１０には、開位置側から閉位置の近傍に操作されるときに回動抵抗を生じさせて巻込ロール２０を本体１０に対し閉位置にロックさせる係止突起１６が設けられている。【選択図】図１
0003227049.tif 000002
【実用新案登録請求の範囲】
【請求項１】
チューブ容器の帯状の閉止部を保持するチューブクリップであって、
前記チューブ容器の閉止部を挿入可能な軸線方向溝が外周壁面上に開口するよう形成された内側本体部と、
前記内側本体部を保持する凹状の保持壁面を有するとともに、前記保持壁面を前記内側本体部の径方向に貫通する開口が形成された外側本体部と、
前記外側本体部の前記開口を通して前記内側本体部に連結されるとともに、前記軸線方向溝の深さ方向に対し交差する方向に向かって前記外側本体部の外方に突出する突出片部と、を備え、
前記突出片部の突出端側に吊り下げ部材が一体に装着されており、
前記外側本体部および前記内側本体部が、前記チューブ容器の閉止部を前記内側本体部の前記軸線方向溝に挿入可能な開位置と、前記チューブ容器の閉止部の近傍を折り曲げ状態に係止する閉位置とに、相対変位可能であることを特徴とするチューブクリップ。
【請求項２】
前記外側本体部および前記内側本体部が前記開位置から前記閉位置に相対変位するとき、前記チューブ容器の閉止部の近傍が前記外側本体部および前記内側本体部の間に折り曲げ状態に挟み込まれることを特徴とする請求項１に記載のチューブクリップ。
【請求項３】
チューブ容器の帯状の閉止部を保持するチューブクリップであって、
前記チューブ容器の閉止部を挿入可能な軸線方向溝が外周壁面上に開口するよう形成された内側本体部と、
前記内側本体部を回動可能に保持する凹状の保持壁面を有するとともに、前記保持壁面を前記内側本体部の径方向に貫通する所定角度範囲の開口が形成された外側本体部と、
前記外側本体部の前記開口を通して前記内側本体部に連結されるとともに前記外側本体部の外方に突出する突出片部と、を備え、
前記突出片部の突出端側に吊り下げ部材が一体に装着されており、
前記外側本体部および前記内側本体部が、前記チューブ容器の閉止部を前記内側本体部の前記軸線方向溝に挿入可能な開位置と、前記閉止部が前記軸線方向溝に挿入された前記チューブ容器の前記閉止部の近傍を係止する閉位置とに、相対回動可能であることを特徴とするチューブクリップ。
【請求項４】
前記外側本体部および前記内側本体部が前記開位置から前記閉位置に相対回動するとき、前記チューブ容器の閉止部の近傍が前記外側本体部および前記内側本体部の間に巻き込まれることを特徴とする請求項３に記載のチューブクリップ。
【請求項５】
前記外側本体部の一部と前記突出片部とが、前記外側本体部および前記内側本体部を相対的に回動操作可能な操作機構を構成していることを特徴とする請求項３または４に記載のチューブクリップ。
【請求項６】
前記外側本体部には、前記内側本体部および前記外側本体部が前記閉位置から前記開位置側に操作されるときに両本体部に回動抵抗を生じさせて、前記内側本体部を前記外側本体部に対し前記閉位置にロックさせることができる係止手段が設けられていることを特徴とする請求項３ないし５のいずれか一項に記載のチューブクリップ。
【請求項７】
前記突出片部が、前記内側本体部から前記軸線方向溝の深さ方向に対し交差する方向に向かって前記外側本体部の外方に突出しており、
前記外側本体部および前記内側本体部が、前記閉位置に相対回動したとき、前記軸線方向溝に挿入された前記チューブ容器の前記閉止部の近傍が折り曲げ状態に係止されることを特徴とする請求項３ないし６のいずれか一項に記載のチューブクリップ。
【請求項８】
前記外側本体部の一部には、前記内側本体部および前記外側本体部が前記閉位置にあるときに前記突出片部に対面する板状の操作レバーが形成されていることを特徴とする請求項３ないし７のいずれか一項に記載のチューブクリップ。
【請求項９】
前記外側本体部の前記所定角度範囲の開口が、前記内側本体部および前記外側本体部の回動中心軸線方向における中央側に位置しており、
前記外側本体部が、前記回動中心軸線方向における前記開口の両側に、前記径方向に弾性変形可能な弾性保持片を有していることを特徴とする請求項３ないし８のいずれか一項に記載のチューブクリップ。
【請求項１０】
前記吊り下げ部材が、フック形状をなしていることを特徴とする請求項１ないし９のいずれか一項に記載のチューブクリップ。
【考案の詳細な説明】
【技術分野】
【０００１】
本考案は、チューブクリップに関し、特に、チューブの自重によりチューブがクリップから外れることを防止することができるチューブクリップに関する。
【背景技術】
【０００２】
一方のクリップや洗濯バサミで物を挟み、他方のクリップやフックを壁面固定されたフック金具や棚板等に保持させることで、吊り下げ状態で洗濯物や小物製品を保持することができる各種の物干しや吊り下げ保持具が知られている（例えば、特許文献１参照）。
【０００３】
ところが、吊り下げ保持具がクリップ式のもの（以下、吊り下げクリップという）である場合、クリップの把持力に対し吊り下げられる小物製品の自重が大きい場合に、小物製品がクリップからずり落ちて外れてしまうという問題が生じる。
【０００４】
かかる問題の解決を図った小物入れ器タイプの吊り下げ保持具として、例えばスプリングクリップや洗濯バサミの先端側を別のクランプで締め付け可能にすることで、スプリングクリップや洗濯バサミの取手の部分にある程度大きな荷重が加わっても外れたりずり落ちたりしないようにした上で、片方の取手に小物入れ箱を装着したものが知られている（例えば、特許文献２参照）。
【先行技術文献】
【特許文献】
【０００５】
【特許文献１】特開２０１９−１８０９６４号公報
【特許文献２】実用新案登録第３２１７６２２号公報
【考案の概要】
【考案が解決しようとする課題】
【０００６】
しかしながら、上述のような従来の吊り下げ保持具にあっては、クランプ力が大きいためにクランプ操作が容易でないばかりか、その操作を容易化するためにクランプ力等をある程度抑えると、重たい小物や滑りやすい小物が振動や衝撃等により外れたりずれ落ちたりし易くなるという問題があった。
【０００７】
また、クランプ力を大きくするためにスプリングクリップや洗濯バサミに加えて吊り下げ用のクランプを別部品で設ける必要があるため、構造が複雑になり、かつ、製造コストが上昇してしまうという問題があった。
【０００８】
そして、内容物に液体成分等が多く小物でも比較的重たくなるとともに、手触りが良く滑りやすいチューブ容器入りの製品を吊り下げ保持するチューブクリップにあっては、上述のような問題点が顕著に現れることとなっていた。
【０００９】
そこで、本考案は、簡素な構造により製造コストの低減を図りつつ、重いチューブ容器が外れてしまうことを抑止することができるチューブクリップを提供することを目的としている。
【課題を解決するための手段】
【００１０】
本考案に係るチューブクリップは、チューブ容器の帯状の閉止部を保持するチューブクリップであって、前記チューブ容器の閉止部を挿入可能な軸線方向溝が外周壁面上に開口するよう形成された内側本体部と、前記内側本体部を保持する凹状の保持壁面を有するとともに、前記保持壁面を前記内側本体部の径方向に貫通する開口が形成された外側本体部と、前記外側本体部の前記開口を通して前記内側本体部に連結されるとともに、前記軸線方向溝の深さ方向に対し交差する方向に向かって前記外側本体部の外方に突出する突出片部と、を備え、前記突出片部の突出端側に吊り下げ部材が一体に装着されており、前記外側本体部および前記内側本体部が、前記チューブ容器の閉止部を前記内側本体部の前記軸線方向溝に挿入可能な開位置と、前記チューブ容器の閉止部の近傍を折り曲げ状態に係止する閉位置とに、相対変位可能であることを特徴とする。
【００１１】
このような構成により、外側本体部および内側本体部を開位置に変位させた状態で、チューブ容器の閉止部を内側本体部の軸線方向溝内に容易に挿入でき、その挿入状態で外側本体部および内側本体部を閉位置に相対変位させると、チューブ容器の閉止部の近傍が外側本体部および内側本体部によって折り曲げ状態に係止される。また、吊り下げ部材が内側本体部に装着されているので、チューブ容器の保持姿勢が安定確保され、自重でのずれ落ち等を有効に抑制できる。しかも、吊り下げとクランプに別個の専用部品を必要としないので、従来と比較して部品点数を減らすことができる。
【００１２】
本考案の好ましい実施形態においては、前記外側本体部および前記内側本体部が前記開位置から前記閉位置に相対変位するとき、前記チューブ容器の閉止部の近傍が前記外側本体部および前記内側本体部の間に折り曲げ状態に挟み込まれる構成とすることができる。
【００１３】
本考案に係るチューブクリップは、あるいは、チューブ容器の帯状の閉止部を保持するチューブクリップであって、前記チューブ容器の閉止部を挿入可能な軸線方向溝が外周壁面上に開口するよう形成された内側本体部と、前記内側本体部を回動可能に保持する凹状の保持壁面を有するとともに、前記保持壁面を前記内側本体部の径方向に貫通する所定角度範囲の開口が形成された外側本体部と、前記外側本体部の前記開口を通して前記内側本体部に連結されるとともに前記外側本体部の外方に突出する突出片部と、を備え、前記突出片部の突出端側に吊り下げ部材が一体に装着されており、前記外側本体部および前記内側本体部が、前記チューブ容器の閉止部を前記内側本体部の前記軸線方向溝に挿入可能な開位置と、前記閉止部が前記軸線方向溝に挿入された前記チューブ容器の前記閉止部の近傍を係止する閉位置とに、相対回動可能であることを特徴とするものである。
【００１４】
このような構成により、外側本体部および内側本体部を開位置に変位させた状態で、チューブ容器の閉止部を内側本体部の軸線方向溝内に容易に挿入でき、その挿入状態で外側本体部および内側本体部を閉位置に相対回動させると、チューブ容器の閉止部の近傍が外側本体部および内側本体部によって折り曲げ状態に係止される。また、吊り下げ部材が内側本体部に装着されているので、チューブ容器の保持姿勢が安定確保され、自重でのずれ落ち等を有効に抑制できる。
【００１５】
本考案の好ましい実施形態においては、前記外側本体部および前記内側本体部が前記開位置から前記閉位置に相対回動するとき、前記チューブ容器の閉止部の近傍が前記外側本体部および前記内側本体部の間に巻き込まれる構成とすることができ、前記外側本体部の一部と前記突出片部とが、前記外側本体部および前記内側本体部を相対的に回動操作可能な操作機構を構成していてもよい。
【００１６】
また、前記外側本体部には、前記内側本体部および前記外側本体部が前記閉位置から前記開位置側に操作されるときに両本体部に回動抵抗を生じさせて、前記内側本体部を前記外側本体部に対し前記閉位置にロックさせることができる係止手段が設けられている構成とすることもできる。この場合、係止手段は、爪や突起等により係止するものに限らず、磁石による吸着等で回転抵抗を生じさせるものでもよい。
【００１７】
さらに、前記突出片部が、前記内側本体部から前記軸線方向溝の深さ方向に対し交差する方向に向かって前記外側本体部の外方に突出しており、前記外側本体部および前記内側本体部が、前記閉位置に相対回動したとき、前記軸線方向溝に挿入された前記チューブ容器の前記閉止部の近傍が折り曲げ状態に係止される構成とすることもできる。
【００１８】
本考案の好ましい実施形態においては、前記外側本体部の一部には、前記内側本体部および前記外側本体部が前記閉位置にあるときに前記突出片部に対面する板状の操作レバーが形成されていてもよい。また、前記外側本体部の前記所定角度範囲の開口が、前記内側本体部および前記外側本体部の回動中心軸線方向における中央側に位置しており、前記外側本体部が、前記回動中心軸線方向における前記開口の両側に、前記径方向に弾性変形可能な弾性保持片を有している構成とすることもできる。前記吊り下げ部材が、フック形状をなしている構成とすることもできる。
【００１９】
より好ましい実施形態においては、前記内側本体部と前記吊り下げ部材とが一体に形成されている構成にすることで、内側本体部が吊り下げ部材と一体に回転することとなり、チューブの閉止部の保持姿勢をより安定的に確保可能となる。
【００２０】
また、外側本体部の一部を突出片部に対面する板状の操作レバーとすることで、その操作レバーおよび突出片部からなる操作機構に対して、例えば周方向の両側から閉じるロック操作や、周方向の両側に開くロック解除操作を容易に加えることができる。
【００２１】
前記吊り下げ部材は、湾曲したフック形状とすることができるが、公知の任意の吊り下げ方式とすることができる。また、前記軸線方向溝が、前記内側本体部の軸線方向の両端面上に開口している構成とすることで、軸線方向溝の長さよりも幅が広い閉止部を有するチューブ容器に対応可能となる。
【考案の効果】
【００２２】
本考案によれば、簡素な構造により、低コストで、重いチューブ容器が外れてしまうことを確実に抑止することができるチューブクリップを提供することができる。
【図面の簡単な説明】
【００２３】
【図１】本考案の一実施形態に係るチューブクリップの概略構成をその閉じた状態で示す斜視図で、歯磨き粉入りのチューブ容器を保持した使用状態を示している。
【図２】本考案の一実施形態に係るチューブクリップの概略構成をその閉じた状態で示す正面図で、歯磨き粉入りのチューブ容器を保持した使用状態を示している。
【図３】本考案の一実施形態に係るチューブクリップの概略構成をその開いた状態で示す斜視図である。
【図４】本考案の一実施形態に係るチューブクリップの概略構成をその閉じた状態で示す一部断面を含む側面図で、歯磨き粉入りのチューブ容器の閉止部を巻き込み保持した使用状態を示している。
【図５】本考案の他の実施形態に係るチューブクリップの概略構成をその閉じた状態で示す斜視図である。
【図６】本考案の他の実施形態に係るチューブクリップの概略構成をその開いた状態で示す側面図で、歯磨き粉入りのチューブ容器の閉止部を差し込んだ状態を示している。
【図７】本考案の他の実施形態に係るチューブクリップの概略構成をその閉じた状態で示す一部断面を含む側面図で、歯磨き粉入りのチューブ容器の閉止部を巻き込み保持した使用状態を示している。
【考案を実施するための形態】
【００２４】
以下、本考案を実施するための形態について、図面を参照しつつ説明する。
（一実施形態）
【００２５】
図１および図２は、本考案の一実施形態に係るチューブクリップ１でチューブ入り製品Ｔのチューブ容器Ｔ１を吊り下げ保持した状態を示している。なお、チューブ入り製品Ｔは、所定の人体処置組成物（人体を防臭、保護、美化あるいは清潔にするための組成物）、例えばチューブ入り練り歯磨きや洗顔料等である。
【００２６】
本実施形態のチューブクリップ１は、チューブ入り製品Ｔのチューブ容器Ｔ１の帯状に溶着された閉止部Ｔ２を両面側から挟む等して保持するための複数の部品として、主要部が略Ｕ字形横断面の凹形状をなす本体１０と、略円径横断面の外周面を有する巻込ロール２０と、を備えている。
【００２７】
本体１０は、本考案にいう「外側本体部」を構成しており、巻込ロール２０を軸線回りに回動可能に収納しかつ弾性的に保持するロールカバー１１をその主要部としている。また、この本体１０には、巻込ロール２０の軸線方向の中央側でロールカバー１１を径方向に貫通する所定角度範囲の開口１４が形成されており、ロールカバー１１の上部に位置する回動操作レバー１７が設けられている。
【００２８】
巻込ロール２０は、本考案にいう「内側本体部」を構成しており、回動操作レバー１７の一方および他方でロールカバー１１に摺動可能に接触する外周壁面２１を有している。また、この巻込ロール２０には、チューブ容器Ｔ１の閉止部Ｔ２を挿入可能な軸線方向溝２２が形成されている。
【００２９】
巻込ロール２０には、さらに、本体１０の開口１４を通して巻込ロール２０に連結されるとともに本体１０よりも外方に突出した板状の突出片部２７が装着されており、この突出片部２７は、軸線方向溝２２の溝深さ方向に対し交差する方向に、例えばその溝深さ方向に対し略直交する方向に延在している。そして、突出片部２７の突出端側には、吊り下げ部材としての丸形のフック３０が突出片部２７に対し略Ｕ字形に折り返すように一体に装着されている。
【００３０】
この突出片部２７は、本体１０の一部である回動操作レバー１７と共に、本体１０および巻込ロール２０を軸線回りに相対的に回動操作可能な操作機構２５を構成している。
【００３１】
そして、操作機構２５は、本体１０および巻込ロール２０を相対的に回動させることで、チューブ容器Ｔ１の閉止部Ｔ２を巻込ロール２０の軸線方向溝２２に挿入可能な開位置（図３参照）と、チューブ容器Ｔ１の閉止部Ｔ２を本体１０および巻込ロール２０によって一体的に保持する閉位置（図１、図４参照）とに回動変位（相対変位）させることができるようになっている。
【００３２】
具体的には、チューブ容器Ｔ１の閉止部Ｔ２が巻込ロール２０が軸線方向溝２２内に挿入された状態で、操作機構２５によって本体１０および巻込ロール２０が回動操作されるとき、チューブ容器Ｔ１の閉止部Ｔ２が本体１０のロールカバー１１と巻込ロール２０の間に巻き込まれることで、閉止部Ｔ２の略水平方向への折り曲げによる係止効果と、閉止部Ｔ２の近傍部分に対する挟圧保持力および摩擦保持力が発生するようになっている。
【００３３】
図１ないし図４に示すように、本体１０には、また、巻込ロール２０と共に操作機構２５により開位置側から閉位置の近傍に操作されるとき、および、閉位置の近傍から開位置側に操作されるときに、それぞれ巻込ロール２０および本体１０に回動抵抗を生じさせて、巻込ロール２０を本体１０に対し閉位置にロックさせることができる一対の係止突起１６（片方のみでもよい）が、本体１０の開口１４の内周縁付近に互いに対向するように設けられている。
【００３４】
図２に示すように、一対の係止突起１６の対向面間の離間距離は、突出片部２７の板幅よりわずかに狭くなっており、本体１０および巻込ロール２０が前述の閉位置に近付くと、突出片部２７が一対の係止突起１６により板幅方向両側からしごかれることで、巻込ロール２０および本体１０に回動抵抗を生じ、突出片部２７が一対の係止突起１６の間を通過すると、突出片部２７と一体の巻込ロール２０が本体１０に対してロック状態に係止されるようになっている。これら一対の係止突起１６は、突出片部２７を介して巻込ロール２０を本体１０に対し前述の閉位置にロックさせることができる係止手段となっている。
【００３５】
すなわち、フック３０が装着された突出片部２７が係止突起１６によって本体１０に係止されるとともに、本体１０および巻込ロール２０がチューブ容器Ｔ１の閉止部Ｔ２とその近傍部分を巻き込んだまま、前述の閉位置に拘束されるとき、その状態下で、チューブクリップ１は、チューブ入り製品Ｔを大きな保持力で吊り下げ保持可能となるように構成されている。
【００３６】
以下、より詳細に説明する。
【００３７】
本体１０は、透明な樹脂、例えばポリカボネードで図示形状に成形されており、略円柱状の内部空間１２を形成する凹状のロールカバー１１と、巻込ロール２０の軸線方向の中央側かつその外周壁面２１の円周上の一部の範囲で凹状のロールカバー１１を切り欠くように開口した開口１４と、フック３０が装着された突出片部２７をその板幅方向両側で係止するための一対の係止突起１６と、一対の係止突起１６に対し突出片部２７の板厚程度の隙間（回動方向の隙間）を隔てつつ開口１４の縁部に沿って巻込ロール２０の軸線方向および径方向に延びる板状の回動操作レバー１７とを有している。また、本体１０の凹状のロールカバー１１は、チューブクリップ１の吊り下げ時の下方側に開く凹形状をなすとともに、その両端側でも開放されている。
【００３８】
また、凹状のロールカバー１１は、巻込ロール２０の軸線方向における開口１４の両側に、それぞれ所定の撓み角範囲内で径方向に弾性変形可能な一対の湾曲板状の弾性保持片１１ｂを有しており、それら弾性保持片１１ｂの先端部同士が巻込ロール２０の軸線方向に延びる連結片１１ｃによって相互に連結されている。さらに、凹状のロールカバー１１の内壁面１１ａ（保持壁面）上には、本体１０に対する巻込ロール２０の径方向の抜け、あるいは、吊り下げ状態の巻込ロール２０に対する本体１０の脱落を抑制する抜け止め突起１９が設けられている。開口１４の開き角度である所定確度範囲は、本体１０に対する巻込ロール２０の相対的な回動角度が９０度程度かそれ以上になるように設定されている。
【００３９】
巻込みロール２０は、本体１０と同様なあるいは異なる樹脂で外周壁面２１が略円形横断面になるように略円柱状（母線が直線でなくてもよい）に成形されており、内部にチューブ容器Ｔ１の閉止部Ｔ２を収容するよう円周上の一部で軸線方向に延びるように開口したスリット状の軸線方向溝２２を有している。また、軸線方向溝２２の両端は巻込ロール２０の外周壁面２１上と両端面２４上とにそれぞれ開口しており、軸線方向溝２２の長さより閉止部Ｔ２の長さが大きい。
【００４０】
巻込ロール２０の突出片部２７は、所定の板幅および板厚で巻込ロール２０の径方向に延びる平板上のもので、その基端側で本体１０の開口１４を通して巻込ロール２０に連結され、先端側で同一板幅および板厚のフック３０に一体に結合されている。フック３０は、突出片部２７の突出端側に設けられた吊り下げ部材で、棒や壁掛けフック等に吊り下げ可能なものであり、本実施形態では、９０度より大きい所定角度範囲の湾曲部を有する丸形フックとなっている。この丸形のフック３０は、全体的に略同一板幅に図示しているが、先細りしたものでも、逆に幅広に先太りしたものでもよい。
【００４１】
操作機構２５を構成する本体１０の回動操作レバー１７と板状の突出片部２７とは、それぞれの回動中心軸線が本体１０および巻込ロール２０の回動中心軸線と一致するように配置されており、巻込ロール２０の周方向に接近および離隔するよう回動操作されるとき、本体１０および巻込ロール２０をその回動操作に応じて開位置と閉位置とに回動させるようになっている。
【００４２】
図２にチューブクリップ１の使用状態を示すとおり、チューブ容器Ｔ１は、チューブクリップ１に閉止部Ｔ２を巻き込み状態に折り曲げ保持された状態で、チューブクリップ１を介して、例えば洗面所の壁の吊り下げ金具Ｆに引っ掛け保持される。
【００４３】
図３に示すように、チューブクリップ１の本体１０および巻込ロール２０が前述の開位置にあるとき、チューブ入り製品ＴのキャップＴ３を図１および図２に示すように下向きにする一方、チューブ容器Ｔ１の閉止部Ｔ２を上向きにし、下向きに開く巻込ロール２０の軸線方向溝２２に対し、閉止部Ｔ２を図３中の下方から上向きに挿入可能である。
【００４４】
そして、チューブ容器Ｔ１の閉止部Ｔ２が軸線方向溝２２に挿入され、図４に示すように、操作機構２５により本体１０および巻込ロール２０が閉位置に回動操作されたとき、チューブ容器Ｔ１の閉止部Ｔ２または／およびその近傍部分が巻込ロール２０により本体１０のロールカバー１１内に巻き込まれるようになっている。
【００４５】
次に、チューブ入り製品Ｔの吊り下げ手順と共に本実施形態の作用について説明する。
【００４６】
まず、吊り下げ状態のチューブクリップ１の軸線方向溝２２内に所定深さまで下方からチューブ容器Ｔ１の閉止部Ｔ２を差し込み、次いで、巻込ロール２０を本体１０の凹状の保持壁であるロールカバー１１内で閉位置側に回転させる。
【００４７】
例えば、チューブ容器Ｔ１を左手で握り、右手の人差し指を回動操作レバー１７に、右手の親指を突出片部２７にかけ、右手の人差し指と親指をつまむように操作機構２５を操作することによって、巻込ロール２０を本体１０に対して閉位置側に回転させることができる。
【００４８】
このとき、巻込ロール２０の軸線方向溝２２に差し込まれたチューブ容器Ｔ１の閉止部Ｔ２が、巻込ロール２０と共に本体１０に対し閉方向側に回転するとともに、巻込ロール２０と本体１０のロールカバー１１との間にチューブ容器Ｔ１の閉止部Ｔ２または／およびその近傍部分が巻き込まれ、チューブ容器Ｔ１の閉止端側がチューブクリップ１に挟圧保持および摩擦係止された状態となる。
【００４９】
さらに、フック３０が装着され巻込ロール２０と一体に連結された突出片部２７と本体１０の回動操作レバー１７に接近させるように操作機構２５を操作し、本体１０の開口１４内で、突出片部２７を一対の係止突起１６を乗り越えて閉位置側に接近するように移動させると、突出片部２７の開位置側への戻りが一対の係止突起１６により規制されることで、巻込ロール２０が本体１０に対し閉位置に係止されたロック状態となる。
【００５０】
このロック状態においては、本体１０と巻込ロール２０によってチューブ容器Ｔ１の閉止部Ｔ２を挿入姿勢（開位置に対応）から本体１０に対する巻込ロール２０の閉位置側に曲げた状態（図１、図４参照）で、本体１０と巻込ロール２０の間に閉止部Ｔ２の近傍部分を挟圧保持および摩擦係止できるから、保持力を十分に高めた吊り下げが可能となり、チューブ容器Ｔ１がチューブクリップ１から外れて落下してしまうようなことを確実に抑止することができる。
【００５１】
このように、本実施形態では、本体１０に対する巻込ロール２０の開位置となる第１の位置でチューブ容器Ｔ１の閉止部Ｔ２を巻込ロール２０の軸線方向溝内に容易に挿入可能となり、閉止部Ｔ２を挿入した状態で内側および本体１０の操作機構２５を閉位置となる第２の位置に操作すると、係止突起１６および突出片部２７を介して巻込ロール２０を本体１０に対し閉位置にロックさせることができる。
【００５２】
したがって、本体１０と巻込ロール２０によってチューブ容器Ｔ１の閉止部Ｔ２を屈曲または湾曲させた巻き込み状態でその閉止部Ｔ２の近傍部分を挟圧保持および摩擦係止させ、吊り下げ保持力を十分に高めることができる。また、フック３０が巻込ロール２０に装着されているので、チューブ容器Ｔ１の保持姿勢が安定確保され、自重でのずれ落ち等を有効に抑制できる。しかも、チューブ製品Ｔの吊り下げとクランプに別個の専用部品を必要としないので、従来と比較して部品点数を減らした簡素な構造で製造コストを低くおさえたチューブクリップ１を実現でき、しかも、重いチューブ製品Ｔであっても自重により外れてチューブクリップ１から脱落してしまうことを確実に防止することができる。
【００５３】
巻込ロール２０を本体１０の凹状の保持壁であるロールカバー１１内で閉位置から開位置側に回転させて、ロック解除する際には、例えば、チューブ容器Ｔ１を左手で握り、右手の人差し指と中指を回動操作レバー１７に、右手の親指を突出片部２７にかけた状態で、これら回動操作レバー１７および突出片部２７を開方向に離すように操作機構２５を操作することによって、巻込ロール２０を本体１０に対して開位置側に回転させ、ロック解除させることができる。
【００５４】
本実施形態では、突出片部２７が一対の係止突起１６の対向面間に進入し、開位置側から閉位置側に通過するときの操作力の立ち上がり（単位操作角度ごとの操作力の増加率）や、突出片部２７が一対の係止突起１６の間を閉位置から開位置側に離脱するときの操作力の立ち上がりを、係止突起１６の対向面の両側傾斜角等によって適宜設定することで、操作機構２５の適度な操作抵抗や良好な操作感を持たせることができる。
【００５５】
さらに、本実施形態では、本体１０の一部を突出片部２７に対面するとともに、突出片部２７の板幅よりも幅広い板状の回動操作レバー１７としているので、その回動操作レバー１７および突出片部２７からなる操作機構２５に対して、周方向の両側から閉じるロック操作と、周方向の両側に開くロック解除操作とを、いずれも容易に行うことができる。
【００５６】
加えて、本実施形態では、フック形状をなす吊り下げ部材として、入口幅（突出片部２７の板面に対し垂直な方向の幅）より内奥側への奥行きの大きい丸形のフック３０を装着しているので、より安定した吊り下げ姿勢となる。
【００５７】
また、本実施形態では、本体１０の所定角度範囲の開口１４が、巻込ロール２０および本体１０の回動中心軸線方向（図２中の左右方向）における中央側に位置しており、本体１０が、回動中心軸線方向における開口１４の両側に、径方向に弾性変形可能な一対の弾性保持片１１ｂを有しているので、チューブ容器Ｔ１の閉止端側をチューブクリップ１に巻き込む際の操作力を適度に設定できるとともに、所要の挟圧保持力を発揮させることができる。
【００５８】
さらに、本実施形態では、巻込ロール２０の軸線方向溝２２が、巻込ロール２０の軸線方向の両端面２４上にも開口しているので、巻込ロール２０の軸線方向におけるチューブ容器Ｔ１の閉止部Ｔ２の長さが制限されることがなく、幅広い閉止部Ｔ２を有するチューブ容器Ｔ１に対応可能な汎用性の高いチューブクリップ１となる。
【００５９】
また、本実施形態では、巻込ロール２０とフック３０とが一体に形成されているので、巻込ロール２０がフック３０と一体に回転および停止することとなり、チューブ容器Ｔ１の閉止部Ｔ２の保持姿勢をより安定的に確保可能となる。
【００６０】
以上のように、本実施形態においては、簡素な構造により、低コストで、重いチューブ容器が外れてしまうのを確実に抑止できるチューブクリップ１を提供することができる。
なお、フック３０は、湾曲したフック形状とすることができるが、公知の任意の吊り下げ方式とすることができる。また、軸線方向溝２２は、略Ｕ字形断面で両内側壁面が略平行で平滑なものとしたが、突起やリブ等が形成されてもよい。勿論、軸線方向溝２２は、巻込ロール２０の軸線方向の両端面２４上に開口させず、軸線方向溝２２の軸線方向におけるチューブ容器Ｔ１の幅の閉止部Ｔ２の挿入範囲を制限するようにしてもよい。
【００６１】
（他の実施形態）
図５ないし図７は、チューブ入り製品Ｔを吊り下げ可能なチューブクリップの他の実施形態を示している。
【００６２】
なお、本実施形態は、前述の一実施形態のチューブクリップ１における巻込ロール２０の軸線方向溝２２の形状を一実施形態とは相違させたものであり、他の構成は一実施形態と同様であるので、図中の符号は一実施形態の対応する構成要素と同一にし、以下、相違点について説明する。
【００６３】
前述の一実施形態では、チューブクリップ１における巻込ロール２０の軸線方向溝２２は、略Ｕ字形断面でその両内側壁面が平行かつ平滑な溝形状となっていたが、本実施形態では、巻込ロール２０の軸線方向溝２２は、その内奥側の溝幅が入口側の溝幅より大きくなるように形成されている。また、本実施形態における軸線方向溝２２の内壁面は、巻込ロール２０の外周壁面２１と同様に、本体１０および巻込ロール２０の回動中心軸線を中心とする略円筒面形状となっており、巻込ロール２０の両端面２４側の軸線方向溝２２の開口部位は面取りされている。勿論、図６中で下向きに開く軸線方向溝２２の入口が面取りされていてもよい。
【００６４】
本実施形態においても、図６に示すように、チューブクリップ１の本体１０および巻込ロール２０が開位置にあるとき、チューブ入り製品ＴのキャップＴ３を下向きにする一方、チューブ容器Ｔ１の閉止部Ｔ２を上向きにし、下向きに開く巻込ロール２０の軸線方向溝２２に対し、閉止部Ｔ２を同図中の下方から上向きに挿入可能である。
【００６５】
また、チューブ容器Ｔ１の閉止部Ｔ２が軸線方向溝２２に挿入された後、図７に示すように、操作機構２５により本体１０および巻込ロール２０が閉位置に回動操作されたとき、チューブ容器Ｔ１の閉止部Ｔ２または／およびその近傍部分が巻込ロール２０により本体１０のロールカバー１１内に巻き込まれる。
【００６６】
したがって、本実施形態においても、本体１０と巻込ロール２０によってチューブ容器Ｔ１の閉止部Ｔ２を屈曲または湾曲させた状態で、その閉止部Ｔ２の近傍部分を本体１０と巻込ロール２０の間に挟圧保持および摩擦係止させ、吊り下げ保持力を十分に高めることができ、前述の一実施形態と同様な効果を得ることができる。
【００６７】
なお、上述の各実施形態では、本体１０および巻込ロール２０が閉位置にあるとき、突出片部２７の板幅方向両側に一対の係止突起１６を係合させてロック状態に維持させるようになっていたが、このような係止手段は、係止突起１６のような突起に限らず、ロック位置とロック解除位置に変位可能なロック爪などであってもよいし、回動操作レバー１７を突出片部２７に吸着させてロック状態を保持することができる磁石等で構成されてもよく、特定の係止構造に限定されるものでないことはいうまでもない。また、本体１０および巻込ロール２０が閉位置と開位置とに相対変位する方向は、巻込ロール２０の軸線回りの回転方向に限らず、その軸線と交差する方向であってもよいし、あるいはその軸線方向であってもよい。さらに、本体１０および巻込ロール２０を閉位置または／および開位置に保持するためにスナップロックその他の任意のロック方式が採用可能であることは勿論である。
【産業上の利用可能性】
【００６８】
以上のとおり、本考案は、簡素な構造により、重いチューブ容器が外れてしまうことを抑止することができるチューブクリップを提供することできるものであり、チューブ入りの練り歯磨きや洗顔料などを洗面所の壁面固定フック金具や棚板などに吊り下げ保持させるチューブクリップ全般に有用である。
【符号の説明】
【００６９】
１  チューブクリップ
１０  本体（外側本体部）
１１  ロールカバー（保持壁）
１１ａ  内壁面（凹状の保持壁面）
１１ｂ  弾性保持片
１１ｃ  連結片
１２  内部空間
１４  開口
１６  係止突起（係止手段）
１７  回動操作レバー
１９  抜け止め突起
２０  巻込ロール（内側本体部）
２１  外周壁面
２２  軸線方向溝
２４  両端面
２５  操作機構（開閉操作機構）
２７  突出片部
３０  フック（吊り下げ部材）
Ｔ１  チューブ容器
Ｔ２  閉止部（溶着部）
Ｔ３  キャップ 
【図１】
0003227049.tif 000003
【図２】
0003227049.tif 000004
【図３】
0003227049.tif 000005
【図４】
0003227049.tif 000006
【図５】
0003227049.tif 000007
【図６】
0003227049.tif 000008
【図７】
0003227049.tif 000009